(57)【要約】      （修正有）【課題】洗浄中に、水噴射装置が本体と一緒に前後方向に移動可能であることによって、ノズルは人体の一部を繰り返して洗えて、人体の一部を徹底的に洗浄するのに役立つ洗浄装置を提供する。【解決手段】便座に使用される、排便後における人体の一部の洗浄装置には、一つのホルダー、それに前後方向に滑ることができ、ホルダーに設置される本体、前記本体に設置される水噴射装置があって、前記ホルダーには一つのモーターが設置され、前記モーターの出力軸は一つの歯車と接続して、前記本体には前記歯車と配合する歯ざおが設置される。【選択図】図１
0003150419.tif 000002
【実用新案登録請求の範囲】
【請求項１】
便座に使用される、排便後における人体の一部の洗浄装置には、一つのホルダー、それに前後方向に滑ることができ、ホルダーに設置される本体、前記本体に設置される水噴射装置があって、前記ホルダーには一つのモーターが設置され、前記モーターの出力軸は一つの歯車と接続して、前記本体には前記歯車と配合する歯ざおが設置される、排便後における人体の一部の洗浄装置。
【請求項２】
前記歯車には二つの押さえ部が設置され、二つの押さえ部の間で、前記ホルダーには一つの押さえ具が設置され、前記歯車の回転角度を二つの押さえ部の間に制限するようにしたことを特徴とする、請求項１記載の便座に使用される、排便後における人体の一部の洗浄装置。
【請求項３】
前記ホルダーには感光スイッチが設置され、前記本体には前記感光スイッチを触発する触発する装置が設置される；更に一つの電気回路制御パネルも含まれて、前記感光スイッチ、モーターは全部電気回路制御パネルと接続するようにしたことを特徴とする、請求項１記載の便座に使用される、排便後における人体の一部の洗浄装置。
【請求項４】
前記感光スイッチには前記ホルダーの上に設置され、相対している光線発射接収窓があって、前記触発装置には前記本体とつながって、前記光線発射接収窓の間を阻害する阻害部があって、前記阻害部には前記光線発射接収窓と対応するスルーホールが設置されることを特徴とする、請求項３記載の便座に使用される、排便後における人体の一部の洗浄装置。
【請求項５】
前記水噴射装置には前記本体内に設置され、前後方向に延伸する階段柱型の溝と、それに前後方向に滑ることができ、前記階段柱型の溝の裏に設置される導管があって、前記階段柱型の溝の前部の内径は後部の内径より小さく、前記階段柱型の溝の後部は進水管とつながって；前記導管の出水端は前に向いて、前記階段柱型の溝の前端面を通り抜けて、更に前記出水端にはノズルが設置され、前記導管の進水端には前に向き、前記階段柱型の溝の階段面に抵抗接続可能なフランジが設置され、それに前記進水端には導管の軸に沿って滑ることができ、前記導管の進水端を被覆可能な一つの導管進入部が整備される；前記導管にはリセットスプリングを入れ子にして、前記リセットスプリングは前記フランジと前記階段柱型の溝の前端面の間に挟んで設置されることを特徴とする、請求項１記載の便座に使用される、排便後における人体の一部の洗浄装置。
【請求項６】
前記水噴射装置は二つで、そのうち、一つの水噴射装置のノズルには一つの噴水孔が整備されて、もう一つの水噴射装置のノズルには少なくとも二つの噴水孔が整備されることを特徴とする、請求項５記載の便座に使用される、排便後における人体の一部の洗浄装置。
【請求項７】
前記モーターがシンクロモーターであることを特徴とする、請求項１記載の便座に使用される、排便後における人体の一部の洗浄装置。
【考案の詳細な説明】
【技術分野】
【０００１】
本考案は便座の付属装置の構造に関し、具体的には便座に使用される、排便後における人体の一部の洗浄装置に関する。
【背景技術】
【０００２】
今では、一部の便座には人が排便した後、人体の一部を洗浄する装置が設置されて、従来のこの種類の装置としてCN２００４８０００７１９８．０、名称は「洗浄ノズルとそれを使用した便座装置」に開示された発明を参考として援用する。その図１Aと図１Bを参照して、前記洗浄ノズルには一つの階段状の円柱管６、一つの可動式ノズル８を円柱管６の裏に入れ子として、前記円柱管６の一端は水源の提供するたわみ管１２とつながって、もう一端は前記ノズル８が通り抜けることに役立つ；前記ノズル８の通り抜け端には噴射孔１１が設置され、前記ノズル８の内端には一つのフランジ９が差し込んで接続してあり、前記フランジ９の外径は円柱管６の内径より若干小さく、更に、その中心には一つのスルーホールが設置され、スルーホールの直径は前記円柱管６の内径よりはるかに小さい；前記ノズル８の外周には一つのスプリング７を入れ子にして、前記スプリング７は前記フランジ９と円柱管６の裏側端面の間に挟まれて設置される。いったんたわみ管１２は水源とつながると、水の圧力が前記フランジ９に作用して、ノズル８を円柱管６の裏側に移動させ、そして、ノズル８のほとんどを円柱管６の外に伸ばして、前記フランジ９を円柱管６の階段部１０まで移動させると、前に移動させ続けることができなくなって、そのとき、水がフランジ９中心にあるスルーホールからノズル８に進入し、噴射孔１１から噴射する；たわみ管１２の水源を切ると、スプリング７の作用によって、ノズル８が円柱管６の裏に縮んでリセットされる。
【０００３】
前記水噴射装置には以下の欠点があって、その一、噴射された水がフランジ９の中心にあるスルーホールが通らなければならなく、前記スルーホールの直径がきわめて小さく、ノズル８の内径よりさらに小さいので、ノズル８の噴射孔１１から噴射された水の圧力が足りない；二、洗浄中に、ノズル８の位置が固定されていて、人体を繰り返して移動する場合を除いて、人体のきわめて小さい部分を洗うしかできなく、より大きい面積の部分を洗うことができない；三、水流の量がただ一種類で、必要に応じて、違った水量を提供するのには適応できない。
【考案が解決しようとする問題】
【０００４】
本考案は一種類の便座に使用される、排便後における人体の一部の洗浄装置を提供し、その目的として、従来技術の洗い装置のノズルが固定で、ノズルの形が単一で、噴射された水の圧力が足りないという欠点を克服する。
【考案の開示】
【課題を解決するための手段】
【０００５】
本考案の目的を実現するために、便座に使用される、排便後における人体の一部の洗浄装置には、一つのホルダー、それに前後方向に滑ることができ、ホルダーに設置される本体、前記本体に設置される水噴射装置があって、前記ホルダーには一つのモーターが設置され、前記モーターの出力軸は一つの歯車と接続して、前記本体には前記歯車と配合する歯ざおが設置される。
【０００６】
前記便座に使用される、排便後における人体の一部の洗浄装置ににおいては、その歯車には二つの押さえ部が設置され、二つの押さえ部の間で、前記ホルダーには一つの押さえ具が設置され、歯車の回転角度を二つの押さえ部の間に制限する。
【０００７】
前記便座に使用される、排便後における人体の一部の洗浄装置には、ホルダーには感光スイッチが設置され、前記本体には前記感光スイッチを触発する触発装置が設置される；更に一つの電気回路制御パネルも含まれて、前記感光スイッチ、モーターは全部電気回路制御パネルと接続する。
【０００８】
前記感光スイッチには前記ホルダーの上に設置され、相対している光線発射接収窓があって、前記触発装置には前記本体とつながって、前記光線発射接収窓の間を阻害する阻害部があって、前記阻害部には前記光線発射接収窓と対応するスルーホールが設置される。
【０００９】
前記便座に使用される、排便後における人体の一部の洗浄装置には、その水噴射装置には前記本体内に設置され、前後方向に延長する階段柱型の溝と、更に前後方向に滑ることができ、前記階段柱型の溝の裏に設置される導管があって、前記階段柱型の溝の前部の内径は後部の内径より小さく、前記階段柱型の溝の後部は進水管とつながって；前記導管の出水端は前に向いて、前記階段柱型の溝の前端面を通り抜けて、更に前記出水端にはノズルが設置され、前記導管の進水端には前に向いて前記階段柱型の溝の階段面に抵抗接続できるフランジが設置され、更に前記進水端には導管の軸に沿って滑ることができ、前記導管の進水端を被覆できる一つの導管進入部が整備される；前記導管ではリセットスプリングを入れ子にして、前記リセットスプリングは前記フランジと前記階段柱型の溝の前端面の間に挟まれて設置される。
【００１０】
前記水噴射装置は二つで、その内、一つの水噴射装置のノズルには一つの噴水孔が整備されて、もう一つの水噴射装置のノズルには少なくとも二つの噴水孔が整備される。
【００１１】
前記モーターがシンクロモーターである。
【００１２】
以上のように、従来技術と比べると、本考案には以下の特長があって：一、洗浄中に、水噴射装置が本体と一緒前後方向に移動できることによって、ノズルは人体の一部を繰り返して洗えて、人体の一部を徹底的に洗浄するのに役立つ；二、ノズルの構造が二種類で、使用者が必要に応じて、違ったノズルを選ぶことができる；三、洗浄中に、水が導管進入部と前記導管のフランジの間から前記導管に進入するので、水流の量が大きく、水の圧力が十分で、人体の一部を力強く洗うことができる。
【考案を実施するため最良の形態】
【００１３】
以下は図を参考して、本考案の具体的な実施例を説明する。
【００１４】
本考案には一種類の便座に使用される、排便後における人体の一部の洗浄装置を提供し、図１と図２に示すように、その中には、一つのホルダー１、それに前後方向に滑ることができ、ホルダー１に設置される本体２があって、前記ホルダー１には一つのモーターが設置し、前記モーターの出力軸は一つの歯車６と接続して、前記歯車６は本体２の下に位置され、前記本体２の底面には前記歯車６と配合する歯ざお６０が設置され、観測角度によって、図ではモーターが表示されていない；モーターが働くと、歯車６を回転運動しはじめ、歯車６が歯ざお６０と噛合っていることから、本体２をホルダー１に対して前向きあるいは後向きに移動させる。ここでは：前、後は使用者が便座に座っている方向を基準としており、以下についても同じである。
【００１５】
図２と図４に示すように、前記歯車６の円周には二つの押さえ部６１、６２が設置され、ホルダー１の底面には一つの押さえ具６３が設置され、前記押さえ具６３が前記二つの押さえ部６１、６２のあいだに設置される。前記モーターは自由回転できるシンクロモーターで、繰り返して回転することができる。歯車６は時計回りに回転すると、押さえ具６３が押さえ部６２とぶつかった時、歯車６の回転方向が変えられ、逆時計回りに回転して、そして押さえ具６３が押さえ部６１とぶつかった時、また歯車６の方向が変えられ、時計回りに回転して、このように繰り返して交替し続けて、歯車６の回転角度は二つの押さえ部６１、６２の間に制限られることによって、本体２を前向きあるいは後向きに移動させ続ける。図２には本体２が最後の位置まで移動された状態を示して、図３に本体２がは最前端まで移動された状態を示す。
【００１６】
図１と図３に示すように、前記ホルダー１の頂部には感光スイッチ５が設置され、前記感光スイッチ５には前記ホルダー１の上に設置され、二つの相対している光線発射接収窓５０があるが、図にはただ一つの光線発射接収窓５０が表示されている。前記本体２には前記感光スイッチ５を触発する触発装置５１が設置されて、前記触発装置５１には前記本体２とつながって、前記光線発射接収窓５０の間を阻害する阻害部があって、前記阻害部には前記光線発射接収窓５０と対応するスルーホール５１０が設置され、光が通りぬけるのに役立つ。そして、更に一つの電気回路制御パネルも含まれて、前記感光スイッチ５、モーターはみ全て電気回路制御パネルと接続するが、図では前記電気回路制御パネルが表示されていない。洗浄が終わってから、感光スイッチ５を起動し、いったん感光スイッチ５は二つの光線発射接収窓５０からの光が前記スルーホールを通り抜けるのを感知すると、自動的にモーターを止めて、そのとき本体２は真中に停止される。
【００１７】
図１、図３と図５のように、前記本体２には二つの水噴射装置３，４が設置される。水噴射装置３には前記本体２の裏に設置され、前後方向に延長する階段柱型の溝３０と、それに前後方向に滑ることができ、前記階段柱型の溝３０の裏に設置される導管３１があって、前記階段柱型の溝３０の前部の内径は後部の内径より小さく、二者の間は一つの階段面３０１を形成し、前記階段柱型の溝３０の後端は進水管３２とつながる。
【００１８】
前記導管３１の出水端は前に向き、前記階段柱型の溝３０の前端面を通り抜けて、更に前記出水端にはノズル３３が設置され、ノズル３３には上向きの噴水孔３３０が設置される。前記導管３１の進水端にはフランジ３５が設置され、前記フランジ３５の前側には一つのシール環３７を入れ子として、導管３１が前に向いて移動すると、フランジ３５よりシール環３７を前記階段柱型の溝３０の階段面３０１にぴったりと押さえる。更に前記導管３１の進水端には導管３１の軸に沿って滑ることができ、前記導管３１の進水端を被覆できる一つの導管進入部３６が整備されて、前記導管３１の進水端には一つの整備溝３５０が設置されて、前記導管押さえ部３６をその中に制限するが、導管押さえ部３６がその中で滑ることはできる。リセットスプリング３４には前記導管３１を入れ子として,前記リセットスプリング３４の両端は前記フランジ３５の前側面のシール環３７と、前記階段柱型の溝３０の前端の裏側面と抵抗接続する。
【００１９】
一旦水が水管３２に入ると、水の圧力で導管進入部３６を導管３１の進水端の端面にぴったりと押さえて、そして導管３１はリセットスプリング３４の弾性力を克服して前に進み、移動しているうちに、導管３１には水がなくなり、ノズル３３からは水が噴射しなくなる。導管３１の進水端のフランジ３５は前記階段面３０１に抵抗接続すると、導管３１は前に移動し続けることができなくなり、水は導管押さえ部３６と導管３１の間から導管３１に進入して、ノズル３３の噴射孔から噴射する。進水管３２にみずが入っていない場合には、リセットスプリング３４の動きで、導管３１が後ろへリセットする。
【００２０】
水噴射装置４の主な構造は水噴射装置３と同じで、二つの区別は以下に述べるように：水噴射装置３のノズル３３にある噴射孔３３０の数は少なくとも二つで、それぞれの噴射孔３３０の内径は噴射孔４３０より小さいが、水噴射装置４のノズル４３にある噴射孔４３０の数はただ一つで、その内径は噴射孔３３０より大きい。
【００２１】
以上のように、本考案でただ一つの好ましい実施例を開示したが、本考案のデザインアイディアはこれに限定されるものではなく、当業者が、本考案のアイディアと範囲に基づいて色々変更することができ、それらは本考案の請求項の保護範囲から排除されるものではない。
【図面の簡単な説明】
【００２２】
【図１】本考案の実施例の立体概略図をしめす。
【図２】本考案の実施例の本体が最後端まで移動された場合の外部概略図をしめす。
【図３】本考案の実施例の本体が最後端まで移動された場合の断面図をしめす。
【図４】本考案の実施例の本体が最前端まで移動された場合の外部概略図をしめす。
【図５】本考案の実施例の本体が中心に位置された場合の断面図をしめす。
【図１】
0003150419.tif 000003
【図２】
0003150419.tif 000004
【図３】
0003150419.tif 000005
【図４】
0003150419.tif 000006
【図５】
0003150419.tif 000007
【手続補正書】
【提出日】平成21年3月6日(2009.3.6)
【手続補正１】
【補正対象書類名】実用新案登録請求の範囲
【補正対象項目名】請求項３
【補正方法】変更
【補正の内容】
【請求項３】
前記ホルダーには感光スイッチが設置され、前記本体には前記感光スイッチを触発する装置が設置され、更に一つの電気回路制御パネルも含まれて、前記感光スイッチ、モーターは全部電気回路制御パネルと接続するようにしたことを特徴とする、請求項１記載の便座に使用される、排便後における人体の一部の洗浄装置。
【手続補正２】
【補正対象書類名】実用新案登録請求の範囲
【補正対象項目名】請求項５
【補正方法】変更
【補正の内容】
【請求項５】
前記水噴射装置には前記本体内に設置され、前後方向に延伸する階段柱型の溝と、それに前後方向に滑ることができ、前記階段柱型の溝の裏に設置される導管があって、前記階段柱型の溝の前部の内径は後部の内径より小さく、前記階段柱型の溝の後部は進水管とつながっており、前記導管の出水端は前に向いて、前記階段柱型の溝の前端面を通り抜けて、更に前記出水端にはノズルが設置され、前記導管の進水端には前に向き、前記階段柱型の溝の階段面に抵抗接続可能なフランジが設置され、それに前記進水端には導管の軸に沿って滑ることができ、前記導管の進水端を被覆可能な一つの導管進入部が整備され、前記導管にはリセットスプリングを入れ子にして、前記リセットスプリングは前記フランジと前記階段柱型の溝の前端面の間に挟んで設置されることを特徴とする、請求項１記載の便座に使用される、排便後における人体の一部の洗浄装置。